(57)【要約】【課題】  二つの特別図柄抽選を行うにあたり、各図柄表示の視認性を向上させると共に、主基板や周辺基板の処理負担を適度に分散させる。【解決手段】  二つの特別図柄抽選を行うにあたり、第一の特別図柄表示と、第一の特別図柄に係る演出図柄表示と、第二の特別図柄表示と、第二の特別図柄に係る演出図柄表示を別々の表示装置１６〜１９で行う。また、第一及び第二の特別図柄表示装置１６、１７は、主基板２６で制御し、第一及び第二の演出図柄表示装置１８、１９は、周辺基板２７で制御する。【選択図】        図８
2006055263.tif 000002
【特許請求の範囲】
【請求項１】
遊技球が発射される遊技盤と、遊技盤に配置される始動口と、該始動口に対する遊技球の入賞に応じて、特別図柄に係る抽選処理を行う主基板と、該主基板からの演出コマンドに応じて演出処理を行う周辺基板と、特別図柄に係る抽選に当選したとき、連続的に動作される特別電動役物とを備える弾球遊技機であって、
前記主基板は、
第一の始動口に対する遊技球の入賞に応じて、第一の特別図柄に係る抽選処理を行う第一の特別図柄抽選手段と、
第一の特別図柄表示装置に第一の特別図柄を表示させる第一の特別図柄表示制御手段と、
第一の特別図柄に係る第一の演出コマンドを前記周辺基板に送信する第一の演出コマンド送信手段と、
第二の始動口に対する遊技球の入賞に応じて、第二の特別図柄に係る抽選処理を行う第二の特別図柄抽選手段と、
第二の特別図柄表示装置に第二の特別図柄を表示させる第二の特別図柄表示制御手段と、
第二の特別図柄に係る第二の演出コマンドを前記周辺基板に送信する第二の演出コマンド送信手段とを備え、
前記周辺基板は、
前記主基板から受信した第一の演出コマンドに応じて、第一の演出図柄表示装置に第一の特別図柄に係る演出図柄を表示させる第一の演出図柄表示制御手段と、
前記主基板から受信した第二の演出コマンドに応じて、第二の演出図柄表示装置に第二の特別図柄に係る演出図柄を表示させる第二の演出図柄表示制御手段とを備えることを特徴とする弾球遊技機。
【請求項２】
前記遊技盤の遊技領域を、仕切壁を介して二つの遊技領域に仕切ると共に、各遊技領域に、第一の演出図柄表示装置と第二の演出図柄表示装置を振り分けて配置し、更に、いずれか一方の遊技領域に、第一の特別図柄表示装置と第二の特別図柄表示装置を配置したことを特徴とする請求項１記載の弾球遊技機。
【請求項３】
前記遊技盤の遊技領域を、仕切壁を介して二つの遊技領域に仕切ると共に、各遊技領域に、第一の演出図柄表示装置と第二の演出図柄表示装置を振り分けて配置し、更に、各遊技領域に、第一の特別図柄表示装置と第二の特別図柄表示装置を振り分けて配置したことを特徴とする請求項１記載の弾球遊技機。
【請求項４】
前記遊技盤の遊技領域を、仕切壁を介して二つの遊技領域に仕切ると共に、各遊技領域に、第一の演出図柄表示装置と第二の演出図柄表示装置を振り分けて配置し、更に、前記仕切壁の中に、第一の特別図柄表示装置と第二の特別図柄表示装置を配置したことを特徴とする請求項１記載の弾球遊技機。
【請求項５】
二つの前記特別図柄表示装置は、二つの前記演出図柄表示装置が上下方向に並ぶとき、上下に並べて配置され、二つの前記演出図柄表示装置が左右方向に並ぶとき、左右に並べて配置されることを特徴とする請求項１〜４のいずれかに記載の弾球遊技機。
【請求項６】
二つの前記特別図柄表示装置は、大きさ及び／又は表示色が相違することを特徴とする請求項１〜５のいずれかに記載の弾球遊技機。
【請求項７】
二つの前記特別図柄表示装置の表示図柄は、大きさ及び／又は表示色が相違することを特徴とする請求項１〜６のいずれかに記載の弾球遊技機。
【請求項８】
前記遊技盤の遊技領域に、二つのセンター役物を配置し、一方のセンター役物に、第一の特別図柄表示装置と第一の演出図柄表示装置を設け、他方のセンター役物に、第二の特別図柄表示装置と第二の演出図柄表示装置を設けたことを特徴とする請求項１記載の弾球遊技機。
【請求項９】
前記特別図柄表示装置は、セグメントＬＥＤを用いて構成されることを特徴とする請求項１〜８のいずれかに記載の弾球遊技機。
【発明の詳細な説明】
【技術分野】
【０００１】
本発明は、図柄表示装置を備えるパチンコ遊技機などの弾球遊技機に関する。
【背景技術】
【０００２】
始動口に対する遊技球の入賞に応じて、特別図柄に係る抽選処理を行い、特別図柄に係る抽選に当選したとき、特別電動役物（大入賞口開閉機構）を連続的に動作させる弾球遊技機が普及している。この種の弾球遊技機は、液晶パネルなどで構成される図柄表示装置と、特別図柄に係る抽選処理を行う主基板と、該主基板からの演出コマンドに応じて、図柄表示装置を制御する周辺基板（図柄表示制御基板）とを備えており、通常、図柄表示装置では、特別図柄を変動表示するだけでなく、様々な演出図柄を用いて、リーチ予告演出、スーパーリーチ演出、大当り演出などが行われている。
【０００３】
近年、二つの図柄表示装置を設け、各図柄表示装置で異なる特別図柄表示を行う弾球遊技機が提案されている（例えば、特許文献１参照。）。このような弾球遊技機によれば、特別図柄に係る抽選機会が増えるだけでなく、二つの図柄表示装置で趣向の異なる演出を行うことが可能になるので、弾球遊技機の遊技性を高めることが可能になる。
【特許文献１】特開２００３−２６０２４８号公報
【発明の開示】
【発明が解決しようとする課題】
【０００４】
しかしながら、特許文献１のように、図柄表示装置を二つ設けた場合には、各図柄表示装置の特別図柄表示や演出図柄表示が同時に行われる可能性があるため、特別図柄表示や演出図柄表示の視認性が低下し、特別図柄表示や演出図柄表示が誤認される惧れがある。また、図柄表示装置を二つ設けた場合には、主基板や周辺基板の処理負担が増えるという問題もある。特に、主基板は、ＲＯＭ容量などに制限があるため、無闇にプログラムを増やすことはできない。
【課題を解決するための手段】
【０００５】
本発明は、上記の如き実情に鑑みこれらの課題を解決することを目的として創作されたものであって、遊技球が発射される遊技盤と、遊技盤に配置される始動口と、該始動口に対する遊技球の入賞に応じて、特別図柄に係る抽選処理を行う主基板と、該主基板からの演出コマンドに応じて演出処理を行う周辺基板と、特別図柄に係る抽選に当選したとき、連続的に動作される特別電動役物とを備える弾球遊技機であって、前記主基板は、第一の始動口に対する遊技球の入賞に応じて、第一の特別図柄に係る抽選処理を行う第一の特別図柄抽選手段と、第一の特別図柄表示装置に第一の特別図柄を表示させる第一の特別図柄表示制御手段と、第一の特別図柄に係る第一の演出コマンドを前記周辺基板に送信する第一の演出コマンド送信手段と、第二の始動口に対する遊技球の入賞に応じて、第二の特別図柄に係る抽選処理を行う第二の特別図柄抽選手段と、第二の特別図柄表示装置に第二の特別図柄を表示させる第二の特別図柄表示制御手段と、第二の特別図柄に係る第二の演出コマンドを前記周辺基板に送信する第二の演出コマンド送信手段とを備え、前記周辺基板は、前記主基板から受信した第一の演出コマンドに応じて、第一の演出図柄表示装置に第一の特別図柄に係る演出図柄を表示させる第一の演出図柄表示制御手段と、前記主基板から受信した第二の演出コマンドに応じて、第二の演出図柄表示装置に第二の特別図柄に係る演出図柄を表示させる第二の演出図柄表示制御手段とを備えることを特徴とする。このように構成すれば、二つの特別図柄抽選を行うにあたり、第一の特別図柄表示と、第一の特別図柄に係る演出図柄表示と、第二の特別図柄表示と、第二の特別図柄に係る演出図柄表示を別々の表示装置で行うことができるので、各図柄表示の視認性を向上させることができる。しかも、第一及び第二の特別図柄表示装置は、主基板で制御し、第一及び第二の演出図柄表示装置は、周辺基板で制御するので、主基板や周辺基板の処理負担を適度に分散することができる。
また、前記遊技盤の遊技領域を、仕切壁を介して二つの遊技領域に仕切ると共に、各遊技領域に、第一の演出図柄表示装置と第二の演出図柄表示装置を振り分けて配置し、更に、いずれか一方の遊技領域に、第一の特別図柄表示装置と第二の特別図柄表示装置を配置したことを特徴とする。このように構成すれば、第一の特別図柄表示装置と第二の特別図柄表示装置を近くに配置できるので、特別図柄表示装置の視認性を向上させることができる。
また、前記遊技盤の遊技領域を、仕切壁を介して二つの遊技領域に仕切ると共に、各遊技領域に、第一の演出図柄表示装置と第二の演出図柄表示装置を振り分けて配置し、更に、各遊技領域に、第一の特別図柄表示装置と第二の特別図柄表示装置を振り分けて配置したことを特徴とする。このように構成すれば、第一の特別図柄表示装置と第一の演出図柄表示装置が同じ遊技領域に配置されると共に、第二の特別図柄表示装置と第二の演出図柄表示装置が同じ遊技領域に配置されるので、特別図柄と演出図柄の関係を明確にし、図柄の誤認を防止することができる。
また、前記遊技盤の遊技領域を、仕切壁を介して二つの遊技領域に仕切ると共に、各遊技領域に、第一の演出図柄表示装置と第二の演出図柄表示装置を振り分けて配置し、更に、前記仕切壁の中に、第一の特別図柄表示装置と第二の特別図柄表示装置を配置したことを特徴とする。このように構成すれば、第一及び第二の特別図柄表示装置を、二つの遊技領域の中間位置に配置できるので、特別図柄表示装置の視認性を向上させることができる。
また、二つの前記特別図柄表示装置は、二つの前記演出図柄表示装置が上下方向に並ぶとき、上下に並べて配置され、二つの前記演出図柄表示装置が左右方向に並ぶとき、左右に並べて配置されることを特徴とする。このように構成すれば、特別図柄表示装置と演出図柄表示装置の対応関係が明確になるので、特別図柄や演出図柄の誤認を防止することができる。
また、二つの前記特別図柄表示装置は、大きさ及び／又は表示色が相違することを特徴とする。このように構成すれば、二つの特別図柄表示装置を差別化し、各演出図柄表示装置との対応関係を明確にすることができる。
また、二つの前記特別図柄表示装置の表示図柄は、大きさ及び／又は表示色が相違することを特徴とする。このように構成すれば、二つの特別図柄表示装置が表示する図柄を差別化し、各演出図柄表示装置との対応関係を明確にすることができる。
また、前記遊技盤の遊技領域に、二つのセンター役物を配置し、一方のセンター役物に、第一の特別図柄表示装置と第一の演出図柄表示装置を設け、他方のセンター役物に、第二の特別図柄表示装置と第二の演出図柄表示装置を設けたことを特徴とする。このように構成すれば、特別図柄表示装置と演出図柄表示装置の対応関係が明確になるので、特別図柄や演出図柄の誤認を防止することができる。
また、前記特別図柄表示装置は、セグメントＬＥＤを用いて構成されることを特徴とする。このように構成すれば、特別図柄表示装置として、制御が容易なセグメントＬＥＤを用いることにより、主基板の処理負担を軽減することができる。尚、セグメントＬＥＤとしては、７セグメントＬＥＤや８セグメントＬＥＤが含まれる。
【発明の効果】
【０００６】
以上のように構成された本発明によれば、二つの特別図柄抽選を行うにあたり、第一の特別図柄表示と、第一の特別図柄に係る演出図柄表示と、第二の特別図柄表示と、第二の特別図柄に係る演出図柄表示を別々の表示装置で行うことができるので、各図柄表示の視認性を向上させることができる。
しかも、第一及び第二の特別図柄表示装置は、主基板で制御し、第一及び第二の演出図柄表示装置は、周辺基板で制御するので、主基板や周辺基板の処理負担を適度に分散することができる。
【発明を実施するための最良の形態】
【０００７】
次に、本発明の実施の形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００８】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の制御基板とを備えている。
【０００９】
図３に示すように、遊技盤４には、第一及び第二の始動口１４、１５と、第一及び第二の特別図柄表示装置１６、１７と、第一及び第二の演出図柄表示装置１８、１９と、大入賞口２０を開閉させる特別電動役物２１とが配置されている。第一の始動口１４に遊技球が入賞すると、後述する第一の特別図柄に係る抽選処理が行われ、第二の始動口１５に遊技球が入賞すると、後述する第二の特別図柄に係る抽選処理が行われる。第一又は第二の特別図柄に係る抽選に当選すると、特別電動役物２１が連続的に開閉動作（例えば、１５ラウンド）され、遊技者が多くの遊技球を獲得できる。
【００１０】
第一及び第二の特別図柄表示装置１６、１７は、演出図柄表示装置１８、１９に比べて簡易な表示デバイス、例えば７セグメントＬＥＤや８セグメントＬＥＤを用いて構成されている。第一の特別図柄表示装置１６は、第一の始動口１４に対する遊技球の入賞に応じて、第一の特別図柄を変動表示し、これを所定時間後に停止させる。また、第二の特別図柄表示装置１７は、第二の始動口１５に対する遊技球の入賞に応じて、第二の特別図柄を変動表示し、これを所定時間後に停止させる。第一及び第二の特別図柄表示装置１６、１７が停止表示する特別図柄は、特別図柄抽選の当り／外れを示すものであれば特に制限はない。例えば、特別図柄表示装置１６、１７が１桁表示の７セグメントＬＥＤで構成される場合は、外れのとき「−」、ノーマル当りのとき「１」、「２」、「４」、「６」、「８」、「９」、確変当りのとき「３」、「５」、「７」を表示する。
【００１１】
第一及び第二の演出図柄表示装置１８、１９は、特別図柄表示装置１６、１７に比べて表現力の高い表示デバイス、例えば液晶パネルを用いて構成されている。第一の演出図柄表示装置１８は、第一の始動口１４に対する遊技球の入賞に応じて、第一の特別図柄に係る演出図柄を変動表示し、これを所定時間後に停止させる。また、第二の演出図柄表示装置１９は、第二の始動口１５に対する遊技球の入賞に応じて、第二の特別図柄に係る演出図柄を変動表示し、これを所定時間後に停止させる。第一及び第二の演出図柄表示装置１８、１９が表示する演出図柄は、特別図柄抽選の当り／外れを示すものであれば特に制限はない。例えば、３つの図柄を変動表示し、当りのときは同じ図柄で停止させる。また、第一及び第二の演出図柄表示装置１８、１９においては、図柄表示だけでなく、リーチ予告演出、スーパーリーチ演出、大当り演出など、様々な演出表示を行うことができる。
【００１２】
次に、遊技盤４の配置例を図３〜図６を参照して説明する。図３〜図５に示す配置例では、遊技盤４の遊技領域を、仕切壁２２を介して二つの遊技領域４ａ、４ｂに仕切ると共に、各遊技領域４ａ、４ｂに、第一の演出図柄表示装置１８と第二の演出図柄表示装置１９を振り分けて配置している。また、各始動口１４、１５は、対応する演出図柄表示装置１８、１９の下方近傍に配置され、特別電動役物２１は、遊技盤４の最下部近傍に配置されている。尚、本実施形態では、遊技領域を上下に仕切っているが、左右に仕切ってもよい。
【００１３】
仕切壁２２は、上側の遊技領域４ａで入賞しなかった遊技球を、連通口２３を介して下側の遊技領域４ｂに導くように構成されており、その形状や材質に制限はない。例えば、図３に示すように、上面に傾斜を有するブロック状の部材（樹脂、木材など）で形成してもよいし、多数の遊技釘を傾斜状に植設して形成してもよい。
【００１４】
図３は、一方の遊技領域４ｂ（４ａ）に、第一及び第二の特別図柄表示装置１６、１７を配置した例を示している。このような配置構成にすると、第一の特別図柄表示装置１６と第二の特別図柄表示装置１７を近くに配置できるので、特別図柄表示装置１６、１７の視認性を向上させることができる。ここで、第一及び第二の特別図柄表示装置１６、１７を並べて配置する場合は、演出図柄表示装置１８、１９の並び方向と一致させることが好ましい。例えば、図３に示すように、二つの演出図柄表示装置１８、１９が上下方向に並ぶときは、二つの特別図柄表示装置１６、１７を上下に並べて配置し、二つの演出図柄表示装置１８、１９が左右方向に並ぶときは、二つの特別図柄表示装置１６、１７を左右に並べて配置する。このようにすると、特別図柄表示装置１６、１７と演出図柄表示装置１８、１９の対応関係が明確になり、特別図柄や演出図柄の誤認を防止できる。
【００１５】
図４は、各遊技領域４ａ、４ｂに、第一の特別図柄表示装置１６と第二の特別図柄表示装置１７を振り分けて配置した例を示している。このような配置構成にすると、第一の特別図柄表示装置１６と第一の演出図柄表示装置１８が同じ遊技領域４ａに配置されると共に、第二の特別図柄表示装置１７と第二の演出図柄表示装置１９が同じ遊技領域４ｂに配置されるので、特別図柄と演出図柄の関係を明確にし、図柄の誤認を防止できる。
【００１６】
図５は、仕切壁２２の中に、第一の特別図柄表示装置１６と第二の特別図柄表示装置１７を配置した例を示している。このような配置構成にすると、第一及び第二の特別図柄表示装置１６、１７を、二つの遊技領域４ａ、４ｂの中間位置に配置できるので、特別図柄表示装置１６、１７の視認性を向上させることができる。
【００１７】
図６は、仕切壁２２を設けない例を示している。具体的には、遊技盤４の遊技領域に、二つのセンター役物（センター飾り）２４、２５を任意に配置し、一方のセンター役物２４に、第一の特別図柄表示装置１６と第一の演出図柄表示装置１８を設け、他方のセンター役物２５に、第二の特別図柄表示装置１７と第二の演出図柄表示装置１９を設けている。このような配置構成にすると、特別図柄表示装置１６、１７と演出図柄表示装置１８、１９の対応関係が明確になるので、特別図柄や演出図柄の誤認を防止できる。
【００１８】
尚、上記の実施形態では、第一の特別図柄表示装置１６と第二の特別図柄表示装置１７を同じ７セグメントＬＥＤで構成しているが、二つの特別図柄表示装置１６、１７は、大きさや表示色が相違するものであってもよい。このようにすると、二つの特別図柄表示装置１６、１７を差別化し、各演出図柄表示装置１８、１９との対応関係を明確にすることができる。
【００１９】
次に、パチンコ遊技機１の基板構成について、図７及び図８を参照して説明する。図７に示すように、パチンコ遊技機１は、少なくとも主基板２６と、該主基板２６からの演出コマンドに応じて、演出処理を行う周辺基板２７とを備えている。本実施形態の主基板２６は、主制御基板２８、払出制御基板２９、発射モータ制御基板３０及び特別図柄表示制御基板３１を含み、周辺基板２７は、演出図柄表示制御基板３２、音声制御基板３３及びランプ制御基板３４を含んでいる。
【００２０】
払出制御基板２９には、玉切れスイッチ３５、払出センサ３６、払出モータ３７などが接続されており、主制御基板２８からの払出信号に応じて、遊技球の払い出しを行うほか、台間玉貸し機３からの貸出信号に応じて、遊技球の払い出しを行う。また、発射モータ制御基板３０には、発射スイッチ（ハンドル角センサ）３８、タッチセンサ３９、発射モータ１３などが接続されており、発射スイッチ３８及びタッチセンサ３９がＯＮのとき、発射モータ１３を駆動させる。また、特別図柄表示制御基板３１には、第一及び第二の特別図柄表示装置１６、１７が接続されており、主制御基板２８からの表示信号に応じて、第一及び第二の特別図柄表示装置１６、１７に特別図柄を表示させる。
【００２１】
主制御基板２８には、入賞口（図示せず）に対する遊技球の入賞を検出する入賞口スイッチＳＷ１、第一の始動口１４に対する遊技球の入賞を検出する第一始動口スイッチＳＷ２、第二の始動口１５に対する遊技球の入賞を検出する第二始動口スイッチＳＷ３、ゲート（図示せず）に対する遊技球の通過を検出するゲートスイッチＳＷ４、大入賞口２０に対する遊技球の入賞を検出する大入賞口スイッチＳＷ５、大入賞口２０のＶゾーン（特定の領域）に対する遊技球の通過を検出する特定領域スイッチＳＷ６などのセンサ類と、特別電動役物２１を開閉動作させるソレノイドＳＯＬなどのアクチュエータ類と、作動保留記憶装置４０などの表示デバイス類とが接続されている。そして、主制御基板２８は、上記各スイッチＳＷ１〜ＳＷ６の検出信号に応じて、特別図柄抽選処理、特別図柄表示処理、演出コマンド送信処理などを行う。
【００２２】
演出図柄表示制御基板３２には、第一及び第二の演出図柄表示装置１８、１９が接続されており、主制御基板２８からの演出コマンドに応じて、演出図柄表示装置１８、１９に演出図柄を表示させる。また、音声制御基板３３には、スピーカ１０が接続されており、主制御基板２８（又は演出図柄表示制御基板３２）からの演出コマンドに応じて、所定の演出音声をスピーカ１０から出音させる。また、ランプ制御基板３４には、発光表示ランプＬが接続されており、主制御基板２８（又は演出図柄表示制御基板３２）からの演出コマンドに応じて、発光表示ランプＬを点灯動作させる。
【００２３】
図８は、主基板２６及び周辺基板２７の機能的な構成を示している。この図に示すように、主基板２６は、ハードウエア及びソフトウエアにより実現される機能的な構成として、第一の特別図柄抽選手段２６ａと、第一の特別図柄表示制御手段２６ｂと、第一の演出コマンド送信手段２６ｃと、第二の特別図柄抽選手段２６ｄと、第二の特別図柄表示制御手段２６ｅと、第二の演出コマンド送信手段２６ｆとを備え、周辺基板２７は、第一の演出図柄表示制御手段２７ａと、第二の演出図柄表示制御手段２７ｂとを備えている。
【００２４】
第一の特別図柄抽選手段２６ａは、第一の始動口１４に対する遊技球の入賞に応じて、第一の特別図柄に係る抽選処理を行うように構成され、第一の特別図柄表示制御手段２６ｂは、第一の特別図柄表示装置１６に第一の特別図柄を表示させるように構成され、第一の演出コマンド送信手段２６ｃは、第一の特別図柄に係る第一の演出コマンドを周辺基板２７に送信するように構成される。
【００２５】
また、第二の特別図柄抽選手段２６ｄは、第二の始動口１５に対する遊技球の入賞に応じて、第二の特別図柄に係る抽選処理を行うように構成され、第二の特別図柄表示制御手段２６ｅは、第二の特別図柄表示装置１７に第二の特別図柄を表示させるように構成され、第二の演出コマンド送信手段２６ｆは、第二の特別図柄に係る第二の演出コマンドを周辺基板２７に送信するように構成される。
【００２６】
また、第一の演出図柄表示制御手段２７ａは、主基板２６から受信した第一の演出コマンドに応じて、第一の演出図柄表示装置１８に第一の特別図柄に係る演出図柄を表示させるように構成され、第二の演出図柄表示制御手段２７ｂは、主基板２６から受信した第二の演出コマンドに応じて、第二の演出図柄表示装置１９に第二の特別図柄に係る演出図柄を表示させるように構成される。
【００２７】
叙述の如く構成された本実施形態のパチンコ遊技機１は、二つの特別図柄抽選を行うにあたり、第一の特別図柄表示と、第一の特別図柄に係る演出図柄表示と、第二の特別図柄表示と、第二の特別図柄に係る演出図柄表示を別々の表示装置１６〜１９で行うので、各図柄表示の視認性を向上させることができる。しかも、第一及び第二の特別図柄表示装置１６、１７は、主基板２６で制御し、第一及び第二の演出図柄表示装置１８、１９は、周辺基板２７で制御するので、主基板２６や周辺基板２７の処理負担を適度に分散することができる。
【００２８】
また、図３に示すように、遊技盤４の遊技領域を、仕切壁２２を介して二つの遊技領域４ａ、４ｂに仕切ると共に、各遊技領域４ａ、４ｂに、第一の演出図柄表示装置１８と第二の演出図柄表示装置１９を振り分けて配置し、更に、いずれか一方の遊技領域４ｂに、第一の特別図柄表示装置１６と第二の特別図柄表示装置１７を配置した場合には、第一の特別図柄表示装置１６と第二の特別図柄表示装置１７を近くに配置できるので、特別図柄表示装置１６、１７の視認性を向上させることができる。
【００２９】
また、図４に示すように、各遊技領域４ａ、４ｂに、第一の特別図柄表示装置１６と第二の特別図柄表示装置１７を振り分けて配置した場合には、第一の特別図柄表示装置１６と第一の演出図柄表示装置１８が同じ遊技領域４ａに配置されると共に、第二の特別図柄表示装置１７と第二の演出図柄表示装置１９が同じ遊技領域４ｂに配置されるので、特別図柄と演出図柄の関係を明確にし、図柄の誤認を防止することができる。
【００３０】
また、図５に示すように、仕切壁２２の中に、第一の特別図柄表示装置１６と第二の特別図柄表示装置１７を配置した場合には、第一及び第二の特別図柄表示装置１６、１７を、二つの遊技領域４ａ、４ｂの中間位置に配置できるので、特別図柄表示装置１６、１７の視認性を向上させることができる。
【００３１】
また、図６に示すように、遊技盤４の遊技領域に、二つのセンター役物２４、２５を配置し、一方のセンター役物２４に、第一の特別図柄表示装置１６と第一の演出図柄表示装置１８を設け、他方のセンター役物２５に、第二の特別図柄表示装置１７と第二の演出図柄表示装置１９を設けた場合には、特別図柄表示装置１６、１７と演出図柄表示装置１８、１９の対応関係が明確になるので、特別図柄や演出図柄の誤認を防止することができる。
【００３２】
また、二つの演出図柄表示装置１８、１９が上下方向に並ぶときは、二つの特別図柄表示装置１６、１７を上下に並べて配置し、二つの演出図柄表示装置１８、１９が左右方向に並ぶときは、二つの特別図柄表示装置１６、１７を左右に並べて配置するようにした場合においても、特別図柄表示装置１６、１７と演出図柄表示装置１８、１９の対応関係が明確になるので、特別図柄や演出図柄の誤認を防止することができる。
【００３３】
また、二つの特別図柄表示装置１６、１７を設けるにあたり、表示装置自体の大きさ、表示図柄の大きさ、表示装置自体の表示色、表示図柄の表示色などを相違させた場合には、二つの特別図柄表示装置１６、１７を差別化し、各演出図柄表示装置１８、１９との対応関係を明確にすることができる。
【００３４】
また、特別図柄表示装置１６、１７を７セグメントＬＥＤや８セグメントＬＥＤで構成し、演出図柄表示装置１８、１９を液晶パネルで構成した場合には、主基板２６の処理負担を軽減しつつ、表現力の高い演出表示を行うことができる。
【図面の簡単な説明】
【００３５】
【図１】パチンコ遊技機の正面図である。
【図２】パチンコ遊技機の背面図である。
【図３】第一の配置例を示す遊技盤の正面図である。
【図４】第二の配置例を示す遊技盤の正面図である。
【図５】第三の配置例を示す遊技盤の正面図である。
【図６】第四の配置例を示す遊技盤の正面図である。
【図７】パチンコ遊技機の基板構成を示すブロック図である。
【図８】主基板及び周辺基板の機能的な構成を示すブロック図である。
【符号の説明】
【００３６】
１      パチンコ遊技機
４      遊技盤
４ａ    遊技領域
４ｂ    遊技領域
１４    第一の始動口
１５    第二の始動口
１６    第一の特別図柄表示装置
１７    第二の特別図柄表示装置
１８    第一の演出図柄表示装置
１９    第二の演出図柄表示装置
２０    大入賞口
２１    特別電動役物
２２    仕切壁
２４    センター役物
２５    センター役物
２６    主基板
２６ａ  第一の特別図柄抽選手段
２６ｂ  第一の特別図柄表示制御手段
２６ｃ  第一の演出コマンド送信手段
２６ｄ  第二の特別図柄抽選手段
２６ｅ  第二の特別図柄表示制御手段
２６ｆ  第二の演出コマンド送信手段
２７    周辺基板
２７ａ  第一の演出図柄表示制御手段
２７ｂ  第二の演出図柄表示制御手段
２８    主制御基板
２９    払出制御基板
３０    発射モータ制御基板
３１    特別図柄表示制御基板
３２    演出図柄表示制御基板
３３    音声制御基板
３４    ランプ制御基板
【図１】
2006055263.tif 000003
【図２】
2006055263.tif 000004
【図３】
2006055263.tif 000005
【図４】
2006055263.tif 000006
【図５】
2006055263.tif 000007
【図６】
2006055263.tif 000008
【図７】
2006055263.tif 000009
【図８】
2006055263.tif 000010